【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】
入力される画像データに基づき画像データの濃度分布を求める第１の処理手段と、
この第１の処理手段にて求められた濃度分布に基づいて、下地に対応する画像データを含む濃度範囲を求める第２の処理手段と、
前記第１の処理手段にて求められた濃度分布に基づいて、下地に対応する画像データが変換されるべき特定の出力データ値を求める第３の処理手段と、
前記第２の処理手段にて求められた濃度範囲内の画像データに対し、前記第３の処理手段にて求められた特定の出力データ値に変換して出力する変換手段と、
を具備したことを特徴とする画像処理装置。
【請求項２】
入力される画像データに基づき画像データの濃度分布を求める第１の処理手段と、
この第１の処理手段にて求められた濃度分布に基づいて、下地に対応する画像データを含む濃度範囲を求める第２の処理手段と、
前記第１の処理手段にて求められた濃度分布に基づいて、下地に対応する画像データが変換されるべき出力データ値を求める第３の処理手段と、
前記第２の処理手段にて求められた濃度範囲内の画像データに対し、前記第３の処理手段にて求められた出力データ値をパラメータとする関数として出力する変換手段と、
を具備したことを特徴とする画像処理装置。
【請求項３】
原稿画像から生成された画像データを入力する入力手段と、
この入力手段にて入力された画像データに基づき画像データの濃度分布を求める第１の処理手段と、
この第１の処理手段にて求められた濃度分布に基づいて、原稿画像の下地に対応する画像データを含む濃度範囲を求める第２の処理手段と、
この第２の処理手段にて求められた濃度範囲内の画像データに対し、特定の値の出力データに変換して出力する変換手段と、
を具備したことを特徴とする画像処理装置。
【請求項４】
原稿の画像を読取って入力された画像データに基づき前記原稿の濃度分布を算出する濃度分布算出手段と、
この濃度分布算出手段で算出された濃度分布に基づき前記原稿の下地濃度レベルを算出する下地濃度レベル算出手段と、
この下地濃度レベル算出手段で算出された下地濃度レベルに基づき、下地に対応する画像データの濃度を特定値に変換するためのデータを格納した濃度変換テーブルを作成する濃度変換テーブル作成手段と、
この濃度変換テーブル作成手段で作成された濃度変換テーブル内のデータに基づき、前記入力された画像データの下地に対応する画像データの濃度を特定値に変換する画像変換手段と、
を具備したことを特徴とする画像処理装置。
【請求項５】
原稿の画像を読取って入力された画像データに基づき前記原稿の濃度分布を算出する濃度分布算出手段と、
この濃度分布算出手段で算出された濃度分布に基づき前記原稿の下地濃度分布を算出する下地濃度分布算出手段と、
この下地濃度分布算出手段で算出された下地濃度分布に基づき、下地に対応する画像データの濃度を特定値に変換するためのデータを格納した濃度変換テーブルを作成する濃度変換テーブル作成手段と、
この濃度変換テーブル作成手段で作成された濃度変換テーブル内のデータに基づき、前記入力された画像データの下地に対応する画像データの濃度を特定値に変換する画像変換手段と、
を具備したことを特徴とする画像処理装置。
【請求項６】
原稿の画像を読取って入力された画像データに基づき前記原稿の濃度分布を算出する濃度分布算出手段と、
この濃度分布算出手段で算出された濃度分布に基づき前記原稿の下地濃度分布を算出する下地濃度分布算出手段と、
この下地濃度分布算出手段で算出された下地濃度分布に基づき所定の演算を行なうことにより、前記入力された画像データの下地に対応する画像データの濃度を特定値に変換する下地濃度変換手段と、
を具備したことを特徴とする画像処理装置。
【請求項７】
前記濃度分布算出手段は、前記入力された画像データを多値化画像信号に変換する多値化手段と、
この多値化手段から得られる多値化画像信号から前記原稿の色特徴を表わす濃度ヒストグラム情報を作成するヒストグラム作成手段とからなることを特徴とする請求項４〜６のいずれか１つに記載の画像処理装置。
【請求項８】
原稿の画像を読取って入力された画像データに基づき前記原稿の濃度分布を算出する濃度分布算出手段と、
この濃度分布算出手段で算出された濃度分布に基づき前記原稿の下地濃度分布のピーク位置を検出する下地位置検出手段と、
この下地位置検出手段で検出された下地濃度分布のピーク位置から下地濃度分布のすそ位置を検出するすそ位置検出手段と、
このすそ位置検出手段で検出された下地濃度分布のすそ位置に基づき、前記入力された画像データの下地に対応する画像データの濃度を特定値に変換する下地濃度変換手段と、
を具備したことを特徴とする画像処理装置。
【請求項９】
原稿の画像を読取って入力された画像データに基づき前記原稿の濃度分布を算出する濃度分布算出手段と、
この濃度分布算出手段で算出された濃度分布に基づき前記原稿の下地濃度分布のピーク位置を検出する下地位置検出手段と、
この下地位置検出手段で検出された下地濃度分布のピーク位置から下地濃度分布のすそ位置を検出するすそ位置検出手段と、
このすそ位置検出手段で検出された下地濃度分布のすそ位置を一定量シフトするすそ位置シフト手段と、
このすそ位置シフト手段で一定量シフトされたすそ位置に基づき、前記入力された画像データの下地に対応する画像データの濃度を特定値に変換する下地濃度変換手段と、
を具備したことを特徴とする画像処理装置。
【請求項１０】
原稿の画像を読取って入力された画像データに基づき前記原稿の濃度分布を算出する濃度分布算出手段と、
この濃度分布算出手段で算出された濃度分布に基づき前記原稿の下地濃度分布を算出する下地濃度分布算出手段と、
前記濃度分布算出手段で算出された濃度分布および前記下地濃度分布算出手段で算出された下地濃度分布に基づき前記原稿が下地を除去すべき原稿か否かを判定する判定手段と、
この判定手段の判定結果および前記下地濃度分布算出手段で算出された下地濃度分布に基づき前記入力された画像データの下地に対応する画像データの濃度を特定値に変換する下地濃度変換手段と、
を具備したことを特徴とする画像処理装置。
【請求項１１】
前記濃度分布算出手段は、前記入力された画像データを多値化画像信号に変換する多値化手段と、
この多値化手段から得られる多値化画像信号から前記原稿の色特徴を表わす濃度ヒストグラム情報を作成するヒストグラム作成手段とからなることを特徴とする請求項８〜１０のいずれか１つに記載の画像処理装置。
【請求項１２】
原稿の画像を読取って入力された画像データに基づき前記原稿の濃度分布を算出する濃度分布算出手段と、
この濃度分布算出手段で算出された濃度分布に基づき前記原稿の下地濃度分布を算出する下地濃度分布算出手段と、
前記入力された画像データから非写真領域を判定する領域判定手段と、
前記下地濃度分布算出手段で算出された下地濃度分布に基づき所定の演算を行なうことにより、前記入力された画像データの前記領域判定手段により非写真領域と判定された領域に対して下地濃度を特定値に変換する下地濃度変換手段と、
を具備したことを特徴とする画像処理装置。
【請求項１３】
原稿の画像を読取って入力された画像データから文字／下地領域と写真領域を判定する領域判定手段と、
前記入力された画像データに基づき前記原稿の濃度分布を算出する濃度分布算出手段と、
この濃度分布算出手段で算出された濃度分布に基づき前記原稿の下地濃度分布を算出する下地濃度分布算出手段と、
この下地濃度分布算出手段で算出された下地濃度分布に基づき前記領域判定手段により判定される文字／下地領域と写真領域とで異なる方法で所定の演算を行なうことにより、前記入力された画像データの下地濃度を特定値に変換する下地濃度変換手段と、
を具備したことを特徴とする画像処理装置。
【請求項１４】
原稿の画像を読取って入力された画像データに基づき前記原稿の濃度分布を算出する濃度分布算出手段と、
前記原稿がカラー原稿であるかモノクロ原稿であるかを設定する設定手段と、
前記濃度分布算出手段で算出された濃度分布に基づき前記原稿の下地濃度分布を算出する下地濃度分布算出手段と、
この下地濃度分布算出手段で算出された下地濃度分布に基づき前記設定手段により設定されるカラー原稿とモノクロ原稿とで異なる方法で所定の演算を行なうことにより、前記入力された画像データの下地濃度を特定値に変換する下地濃度変換手段と、
を具備したことを特徴とする画像処理装置。
【請求項１５】
原稿の画像を読取って入力された画像データに基づき前記原稿がカラー原稿であるかモノクロ原稿であるかを判定する判定手段と、
前記入力された画像データに基づき前記原稿の濃度分布を算出する濃度分布算出手段と、
この濃度分布算出手段で算出された濃度分布に基づき前記原稿の下地濃度分布を算出する下地濃度分布算出手段と、
この下地濃度分布算出手段で算出された下地濃度分布に基づき前記判定手段により判定されるカラー原稿とモノクロ原稿とで異なる方法で所定の演算を行なうことにより、前記入力された画像データの下地濃度を特定値に変換する下地濃度変換手段と、
を具備したことを特徴とする画像処理装置。
【請求項１６】
前記濃度分布算出手段は、前記入力された画像データを多値化画像信号に変換する多値化手段と、
この多値化手段から得られる多値化画像信号から前記原稿の色特徴を表わす濃度ヒストグラム情報を作成するヒストグラム作成手段とからなることを特徴とする請求項１２〜１５のいずれか１つに記載の画像処理装置。
【請求項１７】
原稿の画像を読取って画像データを出力する画像読取手段と、
この画像読取手段から出力される画像データの濃度分布を求める第１の処理手段と、
この第１の処理手段にて求められた濃度分布に基づいて、下地に対応する画像データを含む濃度範囲を求める第２の処理手段と、
この第２の処理手段にて求められた濃度範囲内の画像データに対し、特定の値の出力データに変換して出力する変換手段と、
この変換手段から得られる画像データに基づき画像形成を行なう画像形成手段と、
を具備したことを特徴とする画像形成装置。
【請求項１８】
原稿の画像を読取って画像データを出力する画像読取手段と、
この画像読取手段から出力される画像データに基づき画像データの濃度分布を求める第１の処理手段と、
この第１の処理手段にて求められた濃度分布に基づいて、下地に対応する画像データを含む濃度範囲を求める第２の処理手段と、
前記第１の処理手段にて求められた濃度分布に基づいて、下地に対応する画像データが変換されるべき特定の出力データ値を求める第３の処理手段と、
前記第２の処理手段にて求められた濃度範囲内の画像データに対し、前記第３の処理手段にて求められた特定の出力データ値に変換して出力する変換手段と、
この変換手段から得られる画像データに基づき画像形成を行なう画像形成手段と、
を具備したことを特徴とする画像形成装置。
【請求項１９】
原稿の画像を読取って画像データを出力する画像読取手段と、
この画像読取手段から出力される画像データに基づき画像データの濃度分布を求める第１の処理手段と、
この第１の処理手段にて求められた濃度分布に基づいて、下地に対応する画像データを含む濃度範囲を求める第２の処理手段と、
前記第１の処理手段にて求められた濃度分布に基づいて、下地に対応する画像データが変換されるべき出力データ値を求める第３の処理手段と、
前記第２の処理手段にて求められた濃度範囲内の画像データに対し、前記第３の処理手段にて求められた出力データ値をパラメータとする関数として出力する変換手段と、
この変換手段から得られる画像データに基づき画像形成を行なう画像形成手段と、
を具備したことを特徴とする画像形成装置。
【請求項２０】
原稿の画像を読取って画像データを出力する画像読取手段と、
この画像読取手段から出力される画像データに基づき画像データの濃度分布を求める第１の処理手段と、
この第１の処理手段にて求められた濃度分布に基づいて、原稿画像の下地に対応する画像データを含む濃度範囲を求める第２の処理手段と、
この第２の処理手段にて求められた濃度範囲内の画像データに対し、特定の値の出力データに変換して出力する変換手段と、
この変換手段から得られる画像データに基づき画像形成を行なう画像形成手段と、
を具備したことを特徴とする画像形成装置。
【請求項２１】
入力される画像データが表す画像の非写真領域を判定し、前記判定を基に前記画像の下地濃度を変換し、前記下地濃度に基づいて下地除去処理を行うことを特徴とする画像処理方法。
【請求項２２】
入力される画像データが表す画像がカラー画像であるかモノクロ画像であるかを手動で設定し、前記カラー画像であるか前記モノクロ画像であるかで異なる下地濃度変換を行うことを特徴とする画像処理方法。
【請求項２３】
入力される画像データが表す画像がカラー画像であるかモノクロ画像であるかを判定し、前記カラー画像であるか前記モノクロ画像であるかで異なる下地濃度変換を行うことを特徴とする画像処理方法。